(57)【要約】【課題】  語句を見ながらその意味を把握することができ、語句とその意味を関連づけて記憶することが容易な語句表示装置、語句表示方法及びプログラムを提供することにある。【解決手段】  教示すべき語句を示す文字又は語句を示す文字を模った図柄を、語句の意味を示す動作を伴って表示させる語句表示手段を備え、また、教示すべき語句の意味を示す効果音を発する効果音発生手段を備え、さらに、教示すべき語句の意味を示す効果音を発する効果音発生手段を備えることを特徴とする。【選択図】図３
2007121723.tif 000002
【特許請求の範囲】
【請求項１】
教示すべき語句を示す文字又は該語句を示す文字を模った図柄を、該語句の意味を示す動作を伴って表示させる語句表示手段を備えることを特徴とする語句表示装置。
【請求項２】
前記教示すべき語句の意味を示す効果音を発する効果音発生手段を備えることを特徴とする請求項１記載の語句表示装置。
【請求項３】
前記教示すべき語句の意味を示す文字又は該語句の意味を示す文字を模った図柄を、該語句の意味を示す動作を伴って表示させる語意表示手段を備えることを特徴とする請求項１又は請求項２記載の語句表示装置。
【請求項４】
前記教示すべき語句の意味を示す図柄を、該語句の意味を示す動作を伴って表示させる語意図柄表示手段を備えることを特徴とする請求項１〜請求項３のいずれかに記載の語句表示装置。
【請求項５】
前記語句表示手段が、複数の前記教示すべき語句を示す文字又は該語句を示す文字を模った図柄を、所定時間間隔で連続的に表示することを特徴とする請求項１〜請求項４のいずれかに記載の語句表示装置。
【請求項６】
前記語句表示手段が、前記教示すべき語句を示す文字又は該語句を示す文字を模った図柄を複数個同時に表示し、
該表示された複数の語句の意味を示す文字を表示する意味表示手段と、
該語句表示手段で表示された文字又は図柄のいずれか１つを選択させる語句選択手段と、
該意味表示手段で表示された文字のいずれか１つを選択させる意味選択手段と、
該語句選択手段で選択された語句と該意味選択手段で選択された意味とが一致するか否かを判断する判定手段とを備え、
該判定手段が一致したと判断した場合に、該語句表示手段が、該選択した語句を示す文字又は該語句を示す文字を模った図柄を、該語句の意味を示す動作を伴って表示させることを特徴とする請求項１〜請求項５のいずれかに記載の語句表示装置。
【請求項７】
前記語句表示手段が、前記教示すべき語句を示す文字を一覧として複数個同時に表示し、
該表示された複数の語句の意味を示す文字を表示する意味表示手段と、
該語句表示手段で表示された文字又は図柄のいずれか１つを選択させる語句選択手段と、
該意味表示手段で表示された文字のいずれか１つを選択させる意味選択手段と、
該語句選択手段で選択された語句と該意味選択手段で選択された意味とが一致するか否かを判断する判定手段とを備え、
該判定手段が一致したと判断した場合に、該語句表示手段が、該選択した語句を示す文字又は該語句を示す文字を模った図柄を、該語句の意味を示す動作を伴って表示させることを特徴とする請求項１〜請求項５のいずれかに記載の語句表示装置。
【請求項８】
教示すべき語句を示す文字又は該語句を示す文字を模った図柄を、該語句の意味を示す動作を伴って表示させることを特徴とする語句表示方法。
【請求項９】
前記教示すべき語句の意味を示す効果音を発することを特徴とする請求項８記載の語句表示方法。
【請求項１０】
前記教示すべき語句の意味を示す文字又は該語句の意味を示す文字を模った図柄を、該語句の意味を示す動作を伴って表示させることを特徴とする請求項８又は請求項９記載の語句表示方法。
【請求項１１】
前記教示すべき語句の意味を示す図柄を、該語句の意味を示す動作を伴って表示させることを特徴とする請求項８〜請求項１０のいずれかに記載の語句表示方法。
【請求項１２】
複数の前記教示すべき語句を示す文字又は該語句を示す文字を模った図柄を、所定時間間隔で連続的に表示することを特徴とする請求項８〜請求項１１のいずれかに記載の語句表示方法。
【請求項１３】
前記教示すべき語句を示す文字又は該語句を示す文字を模った図柄を複数個同時に表示し、該表示された複数の語句の意味を示す文字を表示し、
該表示された文字又は図柄のいずれか１つを選択すると共に、該表示された文字のいずれか１つを選択し、
該選択した語句と該選択した意味とが一致するか否かを判断し、一致したと判断した場合に、該選択した語句を示す文字又は該語句を示す文字を模った図柄を、該語句の意味を示す動作を伴って表示させることを特徴とする請求項８〜請求項１２のいずれかに記載の語句表示方法。
【請求項１４】
前記教示すべき語句を示す文字を一覧として複数個同時に表示し、該表示された複数の語句の意味を示す文字を表示し、
該表示された文字又は図柄のいずれか１つを選択すると共に、該表示された文字のいずれか１つを選択し、
該選択された語句と該選択された意味とが一致するか否かを判断し、一致したと判断した場合に、該選択した語句を示す文字又は該語句を示す文字を模った図柄を、該語句の意味を示す動作を伴って表示させることを特徴とする請求項８〜請求項１２のいずれかに記載の語句表示方法。
【請求項１５】
コンピュータを、教示すべき語句を示す文字又は該語句を示す文字を模った図柄を、該語句の意味を示す動作を伴って表示させる語句表示手段として機能させるためのプログラム。
【請求項１６】
コンピュータを、前記教示すべき語句の意味を示す効果音を発する効果音発生手段として機能させるための請求項１５記載のプログラム。
【請求項１７】
コンピュータを、前記教示すべき語句の意味を示す文字又は該語句の意味を示す文字を模った図柄を、該語句の意味を示す動作を伴って表示させる語意表示手段として機能させるための請求項１５又は請求項１６記載のプログラム。
【請求項１８】
コンピュータを、前記教示すべき語句の意味を示す図柄を、該語句の意味を示す動作を伴って表示させる語意図柄表示手段として機能させるための請求項１５〜請求項１７のいずれかに記載のプログラム。
【請求項１９】
コンピュータを、前記語句表示手段が、複数の前記教示すべき語句を示す文字又は該語句を示す文字を模った図柄を、所定時間間隔で連続的に表示するように機能させるための請求項１５〜請求項１８のいずれかに記載のプログラム。
【請求項２０】
コンピュータを、前記語句表示手段が、前記教示すべき語句を示す文字又は該語句を示す文字を模った図柄を複数個同時に表示し、
該表示された複数の語句の意味を示す文字を表示する意味表示手段と、
該語句表示手段で表示された文字又は図柄のいずれか１つを選択させる語句選択手段と、
該意味表示手段で表示された文字のいずれか１つを選択させる意味選択手段と、
該語句選択手段で選択された語句と該意味選択手段で選択された意味とが一致するか否かを判断する判定手段として機能させるための請求項１５〜請求項１９のいずれかに記載のプログラム。
【請求項２１】
コンピュータを、前記語句表示手段が、前記教示すべき語句を示す文字を一覧として複数個同時に表示し、
該表示された複数の語句の意味を示す文字を表示する意味表示手段と、
該語句表示手段で表示された文字又は図柄のいずれか１つを選択させる語句選択手段と、
該意味表示手段で表示された文字のいずれか１つを選択させる意味選択手段と、
該語句選択手段で選択された語句と該意味選択手段で選択された意味とが一致するか否かを判断する判定手段として機能させるための請求項１５〜請求項１９のいずれかに記載のプログラム。
【発明の詳細な説明】
【技術分野】
【０００１】
本発明は、教示すべき語句を表示する語句表示装置、語句表示方法及びプログラムに関する。
【背景技術】
【０００２】
従来より英単語や各種用語等の語句を記憶するための手段として、画面上に記憶したい語句を表示する表示装置がある。従来の表示装置は、例えば、暗記したい単語とその単語の意味を順次表示するものである。
尚、この先行技術は、文献公知に係るものでないため、記載すべき先行技術文献情報はない。
【発明の開示】
【発明が解決しようとする課題】
【０００３】
しかしながら、従来の表示装置では、語句やその語句の意味を単に画面上に表示するだけで紙媒体と同様に動きを伴っていないことから、語句を見ながらその意味を把握することができず、語句とその意味を関連づけて記憶することが困難であった。
【０００４】
本発明は、このような事情に鑑みてなされたもので、語句を見ながらその意味を把握することができ、語句とその意味を関連づけて記憶することが容易な語句表示装置、語句表示方法及びプログラムを提供することにある。
【課題を解決するための手段】
【０００５】
請求項１記載の語句表示装置は、教示すべき語句を示す文字又は語句を示す文字を模った図柄を、語句の意味を示す動作を伴って表示させる語句表示手段を備えることを特徴とする。
【０００６】
請求項２記載の語句表示装置は、教示すべき語句の意味を示す効果音を発する効果音発生手段を備えることを特徴とする。
【０００７】
請求項３記載の語句表示装置は、教示すべき語句の意味を示す文字又は語句の意味を示す文字を模った図柄を、語句の意味を示す動作を伴って表示させる語意表示手段を備えることを特徴とする。
【０００８】
請求項４記載の語句表示装置は、教示すべき語句の意味を示す図柄を、語句の意味を示す動作を伴って表示させる語意図柄表示手段を備えることを特徴とする。
【０００９】
請求項５記載の語句表示装置は、語句表示手段が、複数の教示すべき語句を示す文字又は語句を示す文字を模った図柄を、所定時間間隔で連続的に表示することを特徴とする。
【００１０】
請求項６記載の語句表示装置は、語句表示手段が、教示すべき語句を示す文字又は語句を示す文字を模った図柄を複数個同時に表示し、表示された複数の語句の意味を示す文字を表示する意味表示手段と、語句表示手段で表示された文字又は図柄のいずれか１つを選択させる語句選択手段と、意味表示手段で表示された文字のいずれか１つを選択させる意味選択手段と、語句選択手段で選択された語句と意味選択手段で選択された意味とが一致するか否かを判断する判定手段とを備え、判定手段が一致したと判断した場合に、語句表示手段が、選択した語句を示す文字又は語句を示す文字を模った図柄を、語句の意味を示す動作を伴って表示させることを特徴とする。
【００１１】
請求項７記載の語句表示装置は、語句表示手段が、教示すべき語句を示す文字を一覧として複数個同時に表示し、表示された複数の語句の意味を示す文字を表示する意味表示手段と、語句表示手段で表示された文字又は図柄のいずれか１つを選択させる語句選択手段と、意味表示手段で表示された文字のいずれか１つを選択させる意味選択手段と、語句選択手段で選択された語句と意味選択手段で選択された意味とが一致するか否かを判断する判定手段とを備え、判定手段が一致したと判断した場合に、語句表示手段が、選択した語句を示す文字又は該語句を示す文字を模った図柄を、語句の意味を示す動作を伴って表示させることを特徴とする。
【００１２】
請求項８記載の語句表示方法は、教示すべき語句を示す文字又は語句を示す文字を模った図柄を、語句の意味を示す動作を伴って表示させることを特徴とする。
【００１３】
請求項９記載の語句表示方法は、教示すべき語句の意味を示す効果音を発することを特徴とする。
【００１４】
請求項１０記載の語句表示方法は、教示すべき語句の意味を示す文字又は語句の意味を示す文字を模った図柄を、語句の意味を示す動作を伴って表示させることを特徴とする。
【００１５】
請求項１１記載の語句表示方法は、教示すべき語句の意味を示す図柄を、語句の意味を示す動作を伴って表示させることを特徴とする。
【００１６】
請求項１２記載の語句表示方法は、複数の教示すべき語句を示す文字又は語句を示す文字を模った図柄を、所定時間間隔で連続的に表示することを特徴とする。
【００１７】
請求項１３記載の語句表示方法は、教示すべき語句を示す文字又は語句を示す文字を模った図柄を複数個同時に表示し、表示された複数の語句の意味を示す文字を表示し、表示された文字又は図柄のいずれか１つを選択すると共に、表示された文字のいずれか１つを選択し、選択した語句と選択した意味とが一致するか否かを判断し、一致したと判断した場合に、選択した語句を示す文字又は語句を示す文字を模った図柄を、語句の意味を示す動作を伴って表示させることを特徴とする。
【００１８】
請求項１４記載の語句表示方法は、教示すべき語句を示す文字を一覧として複数個同時に表示し、表示された複数の語句の意味を示す文字を表示し、表示された文字又は図柄のいずれか１つを選択すると共に、表示された文字のいずれか１つを選択し、選択された語句と選択された意味とが一致するか否かを判断し、一致したと判断した場合に、選択した語句を示す文字又は語句を示す文字を模った図柄を、語句の意味を示す動作を伴って表示させることを特徴とする。
【００１９】
請求項１５記載のプログラムは、コンピュータを、教示すべき語句を示す文字又は語句を示す文字を模った図柄を、語句の意味を示す動作を伴って表示させる語句表示手段として機能させることを特徴とする。
【００２０】
請求項１６記載のプログラムは、コンピュータを、教示すべき語句の意味を示す効果音を発する効果音発生手段として機能させることを特徴とする。
【００２１】
請求項１７記載のプログラムは、コンピュータを、教示すべき語句の意味を示す文字又は語句の意味を示す文字を模った図柄を、語句の意味を示す動作を伴って表示させる語意表示手段として機能させることを特徴とする。
【００２２】
請求項１８記載のプログラムは、コンピュータを、教示すべき語句の意味を示す図柄を、語句の意味を示す動作を伴って表示させる語意図柄表示手段として機能させることを特徴とする。
【００２３】
請求項１９記載のプログラムは、コンピュータを、語句表示手段が、複数の教示すべき語句を示す文字又は語句を示す文字を模った図柄を、所定時間間隔で連続的に表示するように機能させることを特徴とする。
【００２４】
請求項２０記載のプログラムは、コンピュータを、語句表示手段が、教示すべき語句を示す文字又は該語句を示す文字を模った図柄を複数個同時に表示し、表示された複数の語句の意味を示す文字を表示する意味表示手段と、語句表示手段で表示された文字又は図柄のいずれか１つを選択させる語句選択手段と、意味表示手段で表示された文字のいずれか１つを選択させる意味選択手段と、語句選択手段で選択された語句と意味選択手段で選択された意味とが一致するか否かを判断する判定手段として機能させることを特徴とする。
【００２５】
請求項２１記載のプログラムは、コンピュータを、語句表示手段が、教示すべき語句を示す文字を一覧として複数個同時に表示し、表示された複数の語句の意味を示す文字を表示する意味表示手段と、語句表示手段で表示された文字又は図柄のいずれか１つを選択させる語句選択手段と、意味表示手段で表示された文字のいずれか１つを選択させる意味選択手段と、語句選択手段で選択された語句と意味選択手段で選択された意味とが一致するか否かを判断する判定手段として機能させることを特徴とする。
【発明の効果】
【００２６】
請求項１、請求項８及び請求１５の発明によれば、教示すべき語句を示す文字又は語句を示す文字を模った図柄を、語句の意味を示す動作を伴って表示させることから、語句を見ながらその意味を把握することができ、語句とその意味を関連づけて記憶することが容易である。
【００２７】
請求項２、請求項９及び請求項１６の発明によれば、教示すべき語句の意味を示す効果音を発することから、語句を見ながらその意味を把握することができ、語句とその意味を関連づけて記憶することが容易である。
【００２８】
請求項３、請求項１０及び請求項１７の発明によれば、教示すべき語句の意味を示す文字又は語句の意味を示す文字を模った図柄を、語句の意味を示す動作を伴って表示させることから、語句を見ながらその意味を把握することができ、語句とその意味を関連づけて記憶することが容易である。
【００２９】
請求項４、請求項１１及び請求項１８の発明によれば、教示すべき語句の意味を示す図柄を、語句の意味を示す動作を伴って表示させることから、語句を見ながらその意味を把握することができ、語句とその意味を関連づけて記憶することが容易である。
【００３０】
請求項５、請求項１２及び請求項１９の発明によれば、複数の教示すべき語句を示す文字又は語句を示す文字を模った図柄を、所定時間間隔で連続的に表示することから、語句とその意味を関連づけて記憶することを効率的に行うことができる。
【００３１】
請求項６、請求項１３及び請求項２０の発明によれば、選択した語句と選択した意味とが一致するか否かを判断し、一致したと判断した場合に、選択した語句を示す文字又は語句を示す文字を模った図柄を、語句の意味を示す動作を伴って表示させることから、記憶できているか確かめることが可能であると共に、改めて記憶の定着を促すことができる。
【００３２】
請求項７、請求項１４及び請求項２１の発明によれば、選択された語句と選択された意味とが一致するか否かを判断し、一致したと判断した場合に、選択した語句を示す文字又は語句を示す文字を模った図柄を、語句の意味を示す動作を伴って表示させることから、記憶できているか確かめることが可能であると共に、改めて記憶の定着を促すことができる。
【発明を実施するための最良の形態】
【００３３】
以下、本発明の形態について図面を参照しながら具体的に説明する。本発明の形態における語句表示装置は、英単語や各種用語等の語句を記憶するための装置である。尚、語句とは、各種言語（日本語、英語や韓国語等）の単語、熟語及び文章等や、法律用語及び技術用語等の専門用語等、学習において身につける必要がある教示すべきもの全般であり、以降の説明では英単語に絞って説明を行うが、英単語に限られるものではない。
【００３４】
図１は、本発明に係る語句表示装置の実施例を示す構成図である。図２は、同語句表示装置の動作を示す説明図である。図３〜図１０は、同語句表示装置の表示の例を示す説明図である。本実施例の語句表示装置１は、制御部１０、メモリ１２、通信部１４、入力部１６，映像出力部２０、音声出力部２４、表示装置３０、スピーカ３２等から構成されている。語句表示装置１は具体的には、例えばＤＶＤプレーヤで、制御部１０はＤＶＤプレーヤの全体を制御する部分で、メモリ１２がＤＶＤのメディアとなる。また、表示装置３０はＣＲＴや液晶画面のようなテレビモニタである。尚、語句表示装置１はＤＶＤプレーヤに限られるものではなく、以下に示す映像や音声を表示可能なものであればよい。語句表示装置１の他の例としては、パーソナルコンピュータ、携帯電話、ＰＤＡ（Personal Digital Assistance）、電子辞書、ビデオデッキ等がある。
【００３５】
次に本実施例の語句表示装置１の動作を説明する。図２に示すように、語句を表示するモードとしては、ノーマルモード（Ｓ１０４）、ランダムモード（Ｓ１０５）、トレーニングモード（Ｓ１０６）等が用意されている。ここではまず、本語句表示装置１の基本的な語句の表示として、ノーマルモード（Ｓ１０４）での語句の表示を説明する。
【００３６】
ノーマルモード（Ｓ１０４）では、複数のセッション（Ｓ１０８）が表示可能であり、１つのセッション（Ｓ１０８）の中に複数の教示すべき語句である英単語が含まれている。尚、この各セッション（Ｓ１０８）に納める単語の種類は、難易度別や品詞別等あらかじめ任意に定めたものである。操作者は、ノーマルモード（Ｓ１０４）で学習したいセッション（Ｓ１０８）を具体的に選択するか、オート再生（Ｓ１０９）として自動的に選ばれたセッション（Ｓ１０８）が表示されるように選択する。尚、セッション（Ｓ１０８）を具体的に選んだ場合も、オート再生（Ｓ１０９）を選んだ場合も、再生されるセッション毎の表示は同一である。
【００３７】
次に、各セッション（Ｓ１０８）で表示される語句を図をもとに説明する。図３は、「跳ねる」を意味する「ｌｅａｐ」を教示する画面の一例である。この画面は、制御部１０からの制御で、メモリ１２に格納されていたコンテンツ映像を映像出力部２０を介して表示装置３０に表示したものである。そして、「ｌｅａｐ」というゴシックの標準文字として画面上の表示され（図３（ａ））、その文字か上方向に跳ね上がった後、右横方向に飛び（図３（ｂ））、さらには、左右に傾きながら「跳ねる」動作を繰り返す。このように、教示すべき語句を示す「ｌｅａｐ」という文字が、語句の意味を示す「跳ねる」という動作を伴って表示装置３０に表示されている。尚、「ｌｅａｐ」という文字は、影がつけられ立体的に躍動感にあふれ臨場的で、画面を見ている者の記憶を一層鮮明にするように、芸術的な処理が施され、教示すべき語句を示す文字を、語句の意味を示す動作を伴って表示させる語句表示手段として構成されている。
【００３８】
このように、教示すべき語句を示す文字を、語句の意味を示す動作を伴って表示させることから、語句を見ながらその意味を把握することができ、語句とその意味を関連づけて記憶することが容易である。
【００３９】
また、図３の語句のコンテンツ映像の画像についてのみ説明したが、このコンテンツ映像に、教示すべき語句の意味を示す効果音を付加し、効果音と共にコンテンツ映像として語句を示してもよい。図３の「ｌｅａｐ」の場合は、例えば、「跳ねる」ことをイメージするバネの音をその効果音として用いることで、教示すべき語句の意味を示す効果音を発する効果音発生手段を備えることになる。
【００４０】
このように、教示すべき語句の意味を示す効果音を発することから、語句を見ながらその意味を把握することができ、語句とその意味を関連づけて記憶することが容易である。
【００４１】
図４に示す画面は、「ｌｅａｐ」同様に、セッション（Ｓ１０８）で表示される語句で、「絞る」を意味する「ｓｑｕｅｅｚｅ」を教示する画面の一例である。この画面は、制御部１０からの制御で、メモリ１２に格納されていたコンテンツ映像を映像出力部２０を介して表示装置３０に表示したものである。そして、「ｓｑｕｅｅｚｅ」という図柄化された文字（図４（ａ））が、両サイドから万力で固定され（図４（ｂ））、その文字が両サイドから万力でしぼられ（図４（ｃ））、さらには、「ｓｑｕｅｅｚｅ」という図柄化された文字に含まれる水分が絞り出される（図４（ｄ））「しぼる」動作を繰り返す。このように、教示すべき語句を示す「ｓｑｕｅｅｚｅ」という文字を模った図柄が、語句の意味を示す「しぼる」という動作を伴って表示装置３０に表示されている。尚、「ｓｑｕｅｅｚｅ」という文字の図柄及び万力は、立体的に躍動感にあふれ臨場的で、画面を見ている者の記憶を一層鮮明にするように、芸術的な処理が施され、教示すべき語句を示す文字を模った図柄を、語句の意味を示す動作を伴って表示させる語句表示手段として構成されている。
【００４２】
このように、教示すべき語句を示す文字を模った図柄を、語句の意味を示す動作を伴って表示させることから、語句を見ながらその意味を把握することができ、語句とその意味を関連づけて記憶することが容易である。
【００４３】
また、図３のコンテンツ映像と同様に、このコンテンツ映像に、教示すべき語句の意味を示す効果音を付加し、効果音と共にコンテンツ映像として語句を示してもよい。図４の「ｓｑｕｅｅｚｅ」の場合は、例えば、「しぼる」ことをイメージする飛び散る水の音をその効果音として用いることで、教示すべき語句の意味を示す効果音を発する効果音発生手段を備えることになる。
【００４４】
さらに、図５に示す画面は、「ｌｅａｐ」同様に、セッション（Ｓ１０８）で表示される語句で、「ふくらむ」を意味する「ｓｗｅｌｌ」を教示する画面の一例である。この画面は、制御部１０からの制御で、メモリ１２に格納されていたコンテンツ映像を映像出力部２０を介して表示装置３０に表示したものである。そして、「ｓｗｅｌｌ」という図柄化された文字が、当初は平坦で（図５（ａ））、脇の犬が足踏みポンプを踏むのに合わせて徐々に文字に空気が入っていき（図５（ｂ））、ほぼ形が整ったところで、「ｓｗｅｌｌ」の語句の意味を表す「ふくらむ」というゴシックの標準文字として画面上の表示され（図５（ｃ））、その「ふくらむ」という文字が大きく拡大されてふくらむ意味を示す動作をする。このように、教示すべき語句の意味を示す「ふくらむ」という文字を、語句の意味を示す「ふくらむ」という動作を伴って表示装置３０に表示されている。尚、「ｓｗｅｌｌ」という文字の図柄及び犬は、立体的に躍動感にあふれ臨場的で、画面を見ている者の記憶を一層鮮明にするように、芸術的な処理が施され、教示すべき語句を示す文字を、語句の意味を示す動作を伴って表示させる語意表示手段として構成されている。
【００４５】
このように、教示すべき語句の意味を示す文字又は語句の意味を示す文字を模った図柄を、語句の意味を示す動作を伴って表示させることから、語句を見ながらその意味を把握することができ、語句とその意味を関連づけて記憶することが容易である。
【００４６】
また、図３のコンテンツ映像と同様に、このコンテンツ映像に、教示すべき語句の意味を示す効果音を付加し、効果音と共にコンテンツ映像として語句を示してもよい。図４の「ｓｗｅｌｌ」の場合は、例えば、「ふくらむ」ことをイメージする空気が入っていく音をその効果音として用いることで、教示すべき語句の意味を示す効果音を発する効果音発生手段を備えることになる。
【００４７】
さらに、図６に示す画面は、「ｌｅａｐ」同様に、セッション（Ｓ１０８）で表示される語句で、「追い越す」を意味する「ｏｖｅｒｔａｋｅ」を教示する画面の一例である。この画面は、制御部１０からの制御で、メモリ１２に格納されていたコンテンツ映像を映像出力部２０を介して表示装置３０に表示したものである。そして、「ｏｖｅｒｔａｋｅ」という図柄化された文字が、当初は道路上を単独で走行し（図６（ａ））、次に後方から「ｏｖｅｒｔａｋｅ」の語句の意味を示す「追い越す」の文字が図案化された文字が走行して来て（図６（ｂ））、「ｏｖｅｒｔａｋｅ」と「追い越す」が併走し（図６（ｃ））、その後、「追い越す」が「ｏｖｅｒｔａｋｅ」を追い越すという動作をする。このように、教示すべき語句の意味を示す「追い越す」という文字を模った図柄を、語句の意味を示す「追い越す」という動作を伴って表示装置３０に表示されている。尚、「ｏｖｅｒｔａｋｅ」と「追い越す」という文字の図柄及び背景は、立体的に躍動感にあふれ臨場的で、画面を見ている者の記憶を一層鮮明にするように、芸術的な処理が施され、教示すべき語句を示す文字の意味を模った図柄を、語句の意味を示す動作を伴って表示させる語意表示手段として構成されている。
【００４８】
このように、教示すべき語句の意味を示す図柄を、語句の意味を示す動作を伴って表示させることから、語句を見ながらその意味を把握することができ、語句とその意味を関連づけて記憶することが容易である。
【００４９】
また、図３のコンテンツ映像と同様に、このコンテンツ映像に、教示すべき語句の意味を示す効果音を付加し、効果音と共にコンテンツ映像として語句を示してもよい。図６の「ｏｖｅｒｔａｋｅ」の場合は、例えば、「追い越す」ことをイメージする車両のエンジン音をその効果音として用いることで、教示すべき語句の意味を示す効果音を発する効果音発生手段を備えることになる。
【００５０】
さらに、モード選択（Ｓ１０３）でランダムモード（Ｓ１０５）を選択した場合には、どのセッション（Ｓ１０８）に属しているかにかかわらず、語句をランダムに表示する。また、セッション（Ｓ１０８）の終了時に、図９及び図１０に示すように、語句ごとの表示を所定時間間隔で連続的に表示する機能を備えることもできる。このように、複数の教示すべき語句を示す文字又は語句を示す文字を模った図柄を、所定時間間隔で連続的に表示することから、語句とその意味を関連づけて記憶することを効率的に行うことができる。
【００５１】
さらに、モード選択（Ｓ１０３）で、トレーニングモード（Ｓ１０６）を選択することもできる。このトレーニングモード（Ｓ１０６）が表示された語句をどの程度記憶しているか確かめるもので、いくつかの照合テスト（Ｓ１１０〜Ｓ１１２）を備えている。
【００５２】
語句と意味による照合テスト（Ｓ１１０）は、図７に示すように、まず、複数の教示すべき語句を示す文字又は語句を示す文字を模った図柄の表示を静止画で行う共に、表示された複数の語句の意味を示す文字を表示する。次に、操作者は、表示された語句の文字又は図柄のいずれか１つを入力部１６を用いて選択する。次に、その選択した語句の意味を示す文字を入力部１６を用いて選択する。選択された両者の組み合わせが一致するか判断し、正しい組み合わせが選択された場合には、正しく選択された語句や語句の意味や、それらを模った図柄が意味を示す動作を伴って表示される。
【００５３】
このように、選択した語句と選択した意味とが一致するか否かを判断し、一致したと判断した場合に、選択した語句を示す文字又は語句を示す文字を模った図柄を、語句の意味を示す動作を伴って表示させることから、記憶できているか確かめることが可能であると共に、改めて記憶の定着を促すことができる。
【００５４】
単語と意味による照合テスト（Ｓ１１１）は、図８に示すように、まず、複数の教示すべき語句の文字を一覧表として表示するとともに、表示された複数の語句の文字の意味を示す文字を表示する。次に、操作者は、表示された語句の文字いずれか１つを入力部１６を用いて選択する。次に、その選択した語句の意味を示す文字を入力部１６を用いて選択する。選択された両者の組み合わせが一致するか判断し、正しい組み合わせが選択された場合には、正しく選択された語句や語句の意味や、それらを模った図柄が意味を示す動作を伴って表示される。
【００５５】
このように、選択された語句と選択された意味とが一致するか否かを判断し、一致したと判断した場合に、選択した語句を示す文字又は語句を示す文字を模った図柄を、語句の意味を示す動作を伴って表示させることから、記憶できているか確かめることが可能であると共に、改めて記憶の定着を促すことができる。
【００５６】
尚、本実施例では、メモリ１２の内容を上述の機能を伴って再生する場合を説明したが、本装置自体でコンテンツ映像を生成し表示させることも可能である。また、コンテンツ映像を通信部１４を介して受信し表示させることも可能であり、上述の機能を実現可能なものであればよい。
【産業上の利用可能性】
【００５７】
以上のように、本発明によれば、語句とその意味を関連づけて記憶することが容易な語句表示装置、語句表示方法及びプログラムを提供することができる。
【図面の簡単な説明】
【００５８】
【図１】本発明に係る語句表示装置の実施例を示す構成図である。
【図２】同語句表示装置の動作を示す説明図である。
【図３】同語句表示装置の表示の例を示す説明図である。
【図４】同語句表示装置の表示の例を示す説明図である。
【図５】同語句表示装置の表示の例を示す説明図である。
【図６】同語句表示装置の表示の例を示す説明図である。
【図７】同語句表示装置の表示の例を示す説明図である。
【図８】同語句表示装置の表示の例を示す説明図である。
【図９】同語句表示装置の表示の例を示す説明図である。
【図１０】同語句表示装置の表示の例を示す説明図である。
【符号の説明】
【００５９】
１・・・・語句表示装置
１０・・・制御部
１２・・・メモリ
１４・・・通信部
１６・・・入力部
２０・・・映像出力部
２４・・・音声出力部
３０・・・表示装置
３２・・・スピーカ
【図１】
2007121723.tif 000003
【図２】
2007121723.tif 000004
【図３】
2007121723.tif 000005
【図４】
2007121723.tif 000006
【図５】
2007121723.tif 000007
【図６】
2007121723.tif 000008
【図７】
2007121723.tif 000009
【図８】
2007121723.tif 000010
【図９】
2007121723.tif 000011
【図１０】
2007121723.tif 000012